(57)【特許請求の範囲】
【請求項１】
偏平な本体を有する薄型機器であって、
上記本体は、実質的に互いに平行に広がりを有して対向する第１の主面および第２の主面と、上記第１、第２の主面の互いに対応する辺同士をつなぐ４つの側面とを有し、
上記第１の主面は、上記第２の主面の上記辺よりも所定の寸法だけ外向きに突出した第１の縁部を有し、
上記側面に、上記側面から所定の寸法だけ外向きに突出した態様で、上記本体をなす材料の摩擦係数よりも大きい摩擦係数を有する滑り止め部を備え、
上記滑り止め部の先端は、上記第１の縁部よりも所定の寸法だけ内向きに後退していることを特徴とする薄型機器。
【請求項２】
請求項１に記載の薄型機器において、
上記滑り止め部は、上記側面同士が互いに隣り合う側面コーナー部に、上記側面同士にまたがって一体に設けられていることを特徴とする薄型機器。
【請求項３】
請求項２に記載の薄型機器において、
上記滑り止め部は、上記側面コーナー部から、上記第２の主面のうち上記側面コーナー部につながる主面コーナー部までを一体に覆っていることを特徴とする薄型機器。
【請求項４】
請求項１から３までのいずれか一つに記載の薄型機器において、
上記側面は、上記第１の主面から上記第２の主面へ向かうにつれて内向きに後退するように、上記第１の主面および第２の主面に対して傾斜していることを特徴とする薄型機器。
【請求項５】
請求項１から４までのいずれか一つに記載の薄型機器において、
上記本体が上記側面を下方へ向けて水平面の上に置かれるとき、上記第１、第２の主面が鉛直面に対して上記第１の主面から上記第２の主面へ向かう向きに少なくとも５度から２５度までの範囲で傾斜した状態で、上記滑り止め部の先端が上記水平面に接することを特徴とする薄型機器。
【請求項６】
請求項１から５までのいずれか一つに記載の薄型機器において、
上記滑り止め部はシリコンゴムからなることを特徴とする薄型機器。
【発明の詳細な説明】
【技術分野】
【０００１】
この発明は薄型機器に関し、より詳しくは、体重計などの偏平な本体を有する薄型機器に関する。
【背景技術】
【０００２】
薄型機器としては、体重計などのように、使用時には床面や机面など（以下「水平面」という。）の上に置いて使用されるものがある。このような薄型機器は、不使用時には、邪魔にならないように、部屋の壁や棚の側板など（以下「鉛直面」という。）に対して立て掛け可能であることが望まれる。
【０００３】
従来、立て掛けを補助するために、例えば特許文献１（特開昭５８−１２７３３０号公報）に開示されているように、薄型機器にスタンドを付属させる方式が知られている。また、特許文献２（特開２００６−１７７８８０号公報）に開示されているように、薄型機器を折りたたんでしまう方式が知られている。
【先行技術文献】
【特許文献】
【０００４】
【特許文献１】特開昭５８−１２７３３０号公報
【特許文献２】特開２００６−１７７８８０号公報
【発明の概要】
【発明が解決しようとする課題】
【０００５】
しかしながら、上記従来の方式では、スタンドや折りたたみ構造などを要するため、機器の複雑化やコストの増大を招くという問題がある。
【０００６】
そこで、この発明の課題は、機器の複雑化やコストの増大を招くことなく構成でき、容易に立て掛けることができる薄型機器を提供することにある。
【課題を解決するための手段】
【０００７】
上記課題を解決するため、この発明の薄型機器は、
偏平な本体を有する薄型機器であって、
上記本体は、実質的に互いに平行に広がりを有して対向する第１の主面および第２の主面と、上記第１、第２の主面の互いに対応する辺同士をつなぐ４つの側面とを有し、
上記第１の主面は、上記第２の主面の上記辺よりも所定の寸法だけ外向きに突出した第１の縁部を有し、
上記側面に、上記側面から所定の寸法だけ外向きに突出した態様で、上記本体をなす材料の摩擦係数よりも大きい摩擦係数を有する滑り止め部を備え、
上記滑り止め部の先端は、上記第１の縁部よりも所定の寸法だけ内向きに後退していることを特徴とする。
【０００８】
本明細書で、「外向き」とは、上記第１、第２の主面に対して平行で、上記側面から本体の外側へ向かう向きを指す。また、「内向き」とは、上記第１、第２の主面に対して平行で、上記側面から本体の内側へ向かう向きを指す。この「内向き」は、上記「外向き」とは反対の向きに相当する。
【０００９】
この発明の薄型機器は、使用時には、例えば第１の主面を上向きにし、第２の主面を下向きにして、水平面の上に置いて使用される。一方、この薄型機器は、不使用時には、例えば、上記側面が下向きで上記滑り止め部が水平面に当接し、かつ上記第２の主面の上部（上記滑り止め部を備えた側面に対して反対側に相当する部分）が鉛直面に当接する態様（これを「立て掛け態様」という。）で立て掛けられる。特に、この薄型機器では、上記第１の主面は、上記第２の主面の上記辺よりも所定の寸法だけ外向きに突出した第１の縁部を有し、かつ、上記滑り止め部の先端は、上記第１の縁部よりも所定の寸法だけ内向きに後退している。したがって、上記第１、第２の主面が鉛直面に対して上記第１の主面から上記第２の主面へ向かう向きに或る角度範囲（例えば５度から２５度までの範囲）で傾斜した状態で、上記滑り止め部の先端が上記水平面に接する立て掛け態様を実現できる。この立て掛け態様では、主に上記滑り止め部と上記水平面との間の摩擦力によって、上記薄型機器の下部が上記水平面上を滑ることが防止され、上記薄型機器の姿勢が維持される。したがって、上記薄型機器は、容易に立て掛けることができる。しかも、上記側面に滑り止め部を設けるだけであるから、上記薄型機器は、機器の複雑化やコストの増大を招くことなく構成できる。
また、この薄型機器では、上記滑り止め部の先端は、上記第１の縁部よりも所定の寸法だけ内向きに後退している。したがって、この薄型機器を既述の立て掛け態様から、ユーザがこの薄型機器を使用するために移動させようとするとき、例えばこの薄型機器を水平面に対して垂直になるように起こすと、上記滑り止め部が上記水平面から離間し、上記第１の縁部のみが上記水平面に接触する状態になる。したがって、ユーザは、上記第１の縁部を上記水平面に沿ってスライドさせて、この薄型機器を容易に移動させることができる。このことは、ユーザが非力な高齢者、女性、子供などであるとき、特に有益となる。
【００１０】
一実施形態の薄型機器では、上記滑り止め部は、上記側面同士が互いに隣り合う側面コーナー部に、上記側面同士にまたがって一体に設けられていることを特徴とする。
【００１１】
本明細書で、「コーナー部」とは、９０度である場合に限られず、丸く湾曲している場合も含む。
【００１２】
この一実施形態の薄型機器では、上記滑り止め部は、上記側面同士が互いに隣り合う側面コーナー部に、上記側面同士にまたがって一体に設けられている。したがって、それらの側面のうちいずれの側面を下向きにした場合であっても、上記滑り止め部が機能して、この薄型機器を安定して立て掛けることができる。また、上記滑り止め部を上記側面同士にまたがって一体に設けることで、上記薄型機器全体として上記滑り止め部の数を節約することができ、コストの増大を抑制できる。
【００１３】
一実施形態の薄型機器では、上記滑り止め部は、上記側面コーナー部から、上記第２の主面のうち上記側面コーナー部につながる主面コーナー部までを一体に覆っていることを特徴とする。
【００１４】
この一実施形態の薄型機器では、滑り止め部は、側面コーナー部から、第２の主面のうち側面コーナー部につながる主面コーナー部までを一体に覆っている。したがって、この薄型機器を既述の立て掛け態様で鉛直面に対して立て掛けるとき、立て掛けの角度（上記薄型機器が鉛直面に対してなす角度）を大きくしていくと、上記滑り止め部のうち上記側面コーナー部と上記主面コーナー部とをつなぐ部分が上記水平面に当接する。したがって、立て掛けの角度の範囲を広く確保できる。
【００１５】
一実施形態の薄型機器では、上記側面は、上記第１の主面から上記第２の主面へ向かうにつれて内向きに後退するように、上記第１の主面および第２の主面に対して傾斜していることを特徴とする。
【００１６】
【００１７】
この一実施形態の薄型機器では、上記側面は、上記第１の主面から上記第２の主面へ向かうにつれて内向きに後退するように、上記第１の主面および第２の主面に対して傾斜している。したがって、この薄型機器を既述の立て掛け態様で鉛直面に対して立て掛けるとき、立て掛けの角度の範囲を広く確保できる。
【００１８】
【００１９】
【００２０】
一実施形態の薄型機器では、上記本体が上記側面を下方へ向けて水平面の上に置かれるとき、上記第１、第２の主面が鉛直面に対して上記第１の主面から上記第２の主面へ向かう向きに少なくとも５度から２５度までの範囲で傾斜した状態で、上記滑り止め部の先端が上記水平面に接することを特徴とする。
【００２１】
この一実施形態の薄型機器では、上記第１、第２の主面が鉛直面に対して上記第１の主面から上記第２の主面へ向かう向きに少なくとも５度から２５度までの範囲で傾斜した状態で、上記滑り止め部の先端が上記水平面に接する。したがって、立て掛け角度が少なくとも５度から２５度までの範囲で、上記薄型機器の下部が上記水平面上を滑ることが防止される。したがって、上記薄型機器の姿勢が維持され、上記薄型機器が安定して立て掛けられる。また、立て掛け角度が少なくとも５度から２５度までの範囲で、上記薄型機器が立て掛けられていれば、ユーザがこの薄型機器を使用するために移動させようとするとき、この薄型機器と上記鉛直面との間の隙間に手の指を容易に入れることができる。したがって、既述のように、ユーザは、この薄型機器を容易に起こして、スライドさせて移動させることができる。
【００２２】
一実施形態の薄型機器では、上記滑り止め部はシリコンゴムからなることを特徴とする。
【００２３】
この一実施形態の薄型機器では、上記滑り止め部はシリコンゴムからなるので、上記滑り止め部を簡単かつ低コストに設けることができる。
【発明の効果】
【００２４】
以上より明らかなように、この発明の薄型機器は、機器の複雑化やコストの増大を殆ど招くことなく構成でき、容易に立て掛けて保管することができる。
【図面の簡単な説明】
【００２５】
【図１】この発明の一実施形態の体重計の上面側のレイアウトを示す図である。
【図２】図２（Ａ）から図２（Ｄ）は、上記体重計の立て掛け態様を示す図である。
【図３】図１の体重計を変形した体重計の要部を示す図である。
【図４】図４（Ａ）から図４（Ｃ）は、図３の体重計の立て掛け態様を示す図である。
【図５】図５（Ａ）から図５（Ｃ）は、図３の体重計の立て掛け態様をさらに示す図である。
【図６】図６（Ａ）は図１の体重計をさらに変形した体重計の要部を示す図である。
【図７】図７（Ａ）から図７（Ｄ）は、図６の体重計の立て掛け態様を示す図である。
【発明を実施するための形態】
【００２６】
以下、この発明の薄型機器を図示の実施の形態により詳細に説明する。
【００２７】
（第１実施形態）
図１は、この発明の薄型機器の一実施形態としての体重計（全体を符号９０で示す。）の上面１０ａ側のレイアウトを示している。なお、上面１０ａという呼び方は、この体重計９０が使用される状態に合わせて定めている。
【００２８】
図１に示すように、この体重計９０は、上面１０ａに人を載せるべき略矩形の平面形状を有するガラス板１０を備えている。この例では、ガラス板１０の互いに対向する２辺（図１中の上下の辺）１０ｃ，１０ｄの寸法は、残りの２辺（図１中の左右の辺）１０ｅ，１０ｆの寸法よりも長く設定されており、この結果、ガラス板１０の平面形状は、全体として横長の長方形になっている。ガラス板１０の四隅は、ガラス板１０に対して垂直に見て、丸く面取り１０ｒが施されている。ガラス板１０の厚さは、実質的に均一になっている（ただし、ガラス板１０の四辺に沿って、僅かな面取り１０ｇを施している。）。
【００２９】
ガラス板１０の上面１０ａ側で１辺１０ｃの中央部に沿った領域１６には、測定された体重等の情報を表示するためのＬＣＤ（液晶表示素子）からなる表示部２２が設けられている。ガラス板１０の中央部に相当する領域１５には、ユーザが測定開始等を指示するための３つのスイッチ２１が設けられている。
【００３０】
また、ガラス板１０の上面１０ａ側で四隅に相当する領域１１，１２，１３，１４には、この体重計９０が体組成計としても機能するように、左足の爪先側に接触すべき第１電極１、右足の爪先側に接触すべき第２電極２、左足の踵に接触すべき第３電極３、および右足の踵に接触すべき第４電極４がそれぞれ取り付けられている。
【００３１】
ガラス板１０の下面側でガラス板１０の四隅に相当する領域１１，１２，１３，１４にそれぞれ４つのロードセル５１，５２，５３，５４が配置されている。これら４つのロードセル５１，５２，５３，５４は、それぞれ略円筒状のロードセル用ハウジング３１，３２，３３，３４に覆われて保護されている。この例では、４つのロードセル用ハウジング３１，３２，３３，３４は、ＡＢＳ（アクリロニトリルブタジエンスチレン共重合体）樹脂からなっている。４つのロードセル用ハウジング３１，３２，３３，３４の底面（使用状態で下方を向く面）には、それぞれ略円柱状の脚６１，６２，６３，６４を通すための円形の開口（図示せず）が設けられている。４つの脚６１，６２，６３，６４は、それらの開口を通してハウジング３１，３２，３３，３４内から若干突出する態様で、ハウジング３１，３２，３３，３４に対して進退可能に支持されている。なお、図２（Ａ）（図１のものを右側方から見たところに相当する。）中に、ハウジング３２，３４の底面３２ｂ，３４ｂからそれぞれ脚６２，６４が突出している態様を示している。図示を省略しているが、ハウジング３１，３３の底面（それぞれ３１ｂ，３３ｂとする。）からも、全く同じ態様で脚６１，６３が突出している。
【００３２】
図２（Ａ）に示すように、ガラス板１０の下面側でガラス板１０の中央部に相当する領域に、制御部３５が設けられている。制御部３５の底面３５ｂは、各ロードセル用ハウジング３１，３２，３３，３４の底面３１ｂ，３２ｂ，３３ｂ，３４ｂ（図２（Ａ）中には２つの底面３２ｂ，３４ｂのみを示す。）よりもガラス板１０に近い位置にある。
【００３３】
この結果、この体重計９０の本体は、概ね、ガラス板１０と、ロードセル用ハウジング３１，３２，３３，３４とによって構成された偏平な外形を有している。ガラス板１０の上面１０ａが本体の第１の主面を構成し、また、ロードセル用ハウジング３１，３２，３３，３４の底面３１ｂ，３２ｂ，３３ｂ，３４ｂが本体の第２の主面を構成している。また、図１中に示す各ロードセル用ハウジング３１，３２，３３，３４の外周面３１ｒ，３２ｒ，３３ｒ，３４ｒのうち近接した辺１０ｃ，１０ｄ，１０ｅ，１０ｆに対応する部分が、本体の４つの側面を構成している。特に、各ロードセル用ハウジング３１，３２，３３，３４の外周面３１ｒ，３２ｒ，３３ｒ，３４ｒのうちガラス板１０の隅に面する１／４円弧の部分が側面コーナー部３１ｄ，３２ｄ，３３ｄ，３４ｄを構成している。
【００３４】
ガラス板１０の各辺１０ｃ，１０ｄ，１０ｅ，１０ｆは、ロードセル用ハウジング３１，３２，３３，３４の外周面３１ｒ，３２ｒ，３３ｒ，３４ｒよりもそれぞれ寸法Ｇ１だけ外向きに突出している。ガラス板１０の各辺１０ｃ，１０ｄ，１０ｅ，１０ｆが第１の縁部を構成している。
【００３５】
なお、この体重計９０の本体の側面は、各辺１０ｃ，１０ｄ，１０ｅ，１０ｆを含む最外面と、ロードセル用ハウジング３１，３２，３３，３４の外周面３１ｒ，３２ｒ，３３ｒ，３４ｒとの２段に構成されていると言える。
【００３６】
図１における左下、右下のロードセル用ハウジング３３，３４の外周面３３ｒ，３４ｒには、側面コーナー部３３ｄ，３４ｄを越えて取り巻くように、シリコンゴムからなる滑り止め部７３，７４が接着剤によって貼り付けられている。これらの滑り止め部７３，７４は、本体を構成するガラス板１０、ロードセル用ハウジング３１，３２，３３，３４の材料の摩擦係数よりも大きい摩擦係数（この例では、水平面９８としての床面に対する静止摩擦係数を０．５とする。）を有している。このような、滑り止め部７３，７４は、機器の複雑化やコストの増大を殆ど招くことなく構成できる。
【００３７】
この例では、図１のようにガラス板１０の上面１０ａに対して垂直に見たとき、滑り止め部７３，７４がガラス板１０の辺１０ｄから内向きに後退している距離（寸法）Ｇ２は、Ｇ２＝０．５ｍｍに設定されている。また、図２（Ａ）のように側方から見たとき、ガラス板１０（面取り部分を除く。）と滑り止め部７３，７４（図２では手前側の７４のみを示す。）との間の距離Ｄ１は、Ｄ１＝１３．１ｍｍに設定されている。
【００３８】
この体重計９０は、図１中に示す４つの脚６１，６２，６３，６４が水平面（この例では木製の床面とする。）に着いた状態で使用される。その状態で人がガラス板１０上に載ったとき、ガラス板１０を介してガラス板１０の下面側で四隅にそれぞれ配置された４つのロードセル５１，５２，５３，５４に荷重がかかる。それらの荷重は、それぞれロードセル５１，５２，５３，５４で電気信号に変換されて、制御部３５へ送られる。制御部３５は、それらの電気信号が表す荷重を合計して、人の体重を算出する。算出された体重は、図１中に示した表示部２２に表示される。
【００３９】
また、この体重計９０では、制御部３５による制御によって、４つの電極１，２，３，４を用いて四端子法により生体インピーダンス等を測定することができる。制御部３５は、測定された生体インピーダンスに基づいて、さらに体組成値等を算出する。したがって、この体重計９０では、体重に加えて、体組成値等を表示部２２に表示することができる。
【００４０】
一方、この体重計９０は、不使用時には、例えば図２（Ｂ）、図２（Ｃ）に示すように、ガラス板１０の辺１０ｄが下向きで滑り止め部７３，７４（図２では手前側の７４のみを示す。）が水平面９８に当接し、かつロードセル用ハウジング３１，３２の底面３１ｂ，３２ｂ（図２では手前側の底面３２ｂのみを示す。）側が鉛直面９９に当接する態様（これを「立て掛け態様」という。）で立て掛けられる。この立て掛け態様では、主に滑り止め部７３，７４と水平面９８との間の摩擦力によって、体重計９０の下部が水平面９８上を滑ることが防止され、体重計９０の姿勢が維持される。したがって、この体重計９０は、容易に立て掛けることができる。
【００４１】
この例では、滑り止め部７３，７４がガラス板１０の辺１０ｄから内向きに後退している距離Ｇ２、ガラス板１０の辺１０ｄ（面取り部分を除く。）と滑り止め部７３，７４との間の距離Ｄ１をそれぞれ既述のように設定しているお蔭で、少なくとも図２（Ｂ）に示す立て掛け角度５度から図２（Ｃ）に示す立て掛け角度２５度までの範囲で、体重計９０の姿勢が維持され、体重計９０が安定して立て掛けられる。
【００４２】
また、立て掛け角度が少なくとも５度から２５度までの範囲で、体重計９０が立て掛けられていれば、ユーザがこの体重計９０を使用するために移動させようとするとき、この体重計９０と鉛直面９９との間の隙間Ｗ１，Ｗ２に手の指を容易に入れることができる。したがって、ユーザは、この体重計９０を水平面９８に対して垂直になるように容易に起こすことができる。この体重計９０が水平面９８に対して垂直になると、滑り止め部７３，７４が水平面９８から離間し、ガラス板１０の辺１０ｄのみが水平面９８に接触する状態になる。したがって、ユーザは、ガラス板１０の辺１０ｄを水平面９８に沿ってスライドさせて、この体重計９０を容易に移動させることができる。このことは、ユーザが非力な高齢者、女性、子供などであるとき、特に有益となる。
【００４３】
なお、図２（Ａ）に示すように、体重計９０が水平面９８に対して垂直になっている場合、この体重計９０に対してガラス板１０の辺１０ｄを回転中心とする右回り（図２（Ａ）において）の回転モーメントが生ずる。したがって、この体重計９０は、立て掛け角度が０度であるときも、鉛直面９９に対して立て掛けられる。また、図２（Ｄ）に示すように、立て掛け角度が−５度であっても、ガラス板１０の辺１０ｄが僅かに摩擦係数（この例では、水平面９８としての床面に対する静止摩擦係数を０．１とする。）を有することから、この体重計９０は、鉛直面９９に対して立て掛けられる。ただし、立て掛け角度が５度から２５度までの場合の方が、体重計９０をより安定して立て掛けられる。
【００４４】
（第２実施形態）
図３は、図１の体重計９０を変形した別の体重計（全体を符号９０′で示す。）の要部、すなわち図２（Ａ）の下部に対応する部分を示している。図３および後述の図４から図５において、第１実施形態中の構成要素とおなじ構成要素には同一の符号を付して、重複する説明を省略する。
【００４５】
この体重計９０′では、ロードセル用ハウジング３１，３２，３３，３４が円錐台状に形成されている点が、図１の体重計９０と異なっている。この結果、図３に例示するように、ロードセル用ハウジング３４の側面コーナー部３４ｄ′は、ガラス板１０の上面１０ａからロードセル用ハウジング３４の底面へ向かうにつれて内向きに後退するように傾斜している。この例では、体重計９０が水平面９８に対して垂直になっている場合、ロードセル用ハウジング３４の側面コーナー部３４ｄ′は、水平面９８に対して角度θ（この例では５度）だけ傾斜している。
【００４６】
図示を省略しているが、残りのロードセル用ハウジング３１，３２，３３の側面コーナー部（３１ｄ′，３２ｄ′，３３ｄ′とする。）も、ロードセル用ハウジング３４の側面コーナー部３４ｄ′と全く同様に、ガラス板１０の上面１０ａからロードセル用ハウジング３１，３２，３３の底面へ向かうにつれて内向きに後退するように角度θ（この例では５度）だけ傾斜している。
【００４７】
また、図４（Ａ−１）から分かるように、この体重計９０′では、２つの側面コーナー部３２ｄ′，３４ｄ′のそれぞれに滑り止め部７２，７４が設けられている。図示を省略しているが、残りの２つの側面コーナー部（３１ｄ′，３３ｄ′とする。）にも、全く同様に、それぞれに滑り止め部（７１，７３とする。）が設けられている。
【００４８】
図３から分かるように、各滑り止め部７１，７２，７３，７４が対応する近接した辺１０ｃ，１０ｄ，１０ｅ，１０ｆから内向きに後退している距離Ｇ３は、Ｇ３＝０．５ｍｍに設定されている。また、ガラス板１０（面取り部分を除く。）と滑り止め部７１，７２，７３，７４との間の距離Ｄ２は、Ｄ２＝１３．１ｍｍに設定されている。
【００４９】
この体重計９０′を既述の立て掛け態様で鉛直面９９に対して立て掛けるとき、図４（Ｂ−１）、図４（Ｃ−１）、図５（Ａ−１）、図５（Ｂ−１）、図５（Ｃ−１）に示すように、立て掛けの角度の範囲を２．１度から２５．８度までというように広く確保できる。ここで、図４（Ｂ−２）、図４（Ｃ−２）、図５（Ａ−２）、図５（Ｂ−２）、図５（Ｃ−２）は、理解の容易のために、それぞれ図４（Ａ−１）、図４（Ｂ−１）、図４（Ｃ−１）、図５（Ａ−１）、図５（Ｂ−１）、図５（Ｃ−１）の下部を拡大して示している。
【００５０】
なお、図４（Ａ−１）、図４（Ａ−２）に示すように、体重計９０′が水平面９８に対して垂直になっている場合、この体重計９０′に対してガラス板１０の辺１０ｄを回転中心とする右回り（図４（Ａ）において）の回転モーメントが生ずる。このため、体重計９０′が自立状態を維持することはない。
【００５１】
この例では、４つの側面コーナー部３１ｄ′，３２ｄ′，３３ｄ′，３４ｄ′のそれぞれに滑り止め部７１，７２，７３，７４が設けられている。したがって、ガラス板１０の４つの辺１０ｃ，１０ｄ，１０ｅ，１０ｆのうちいずれの辺を下向きにした場合であっても、その辺に対応する１対の滑り止め部が機能して、この体重計９０を安定して立て掛けることができる。また、滑り止め部７１，７２，７３，７４を側面コーナー部３１ｄ′，３２ｄ′，３３ｄ′，３４ｄ′に設けているので、言い換えれば本体の隣り合う側面同士にまたがって一体に設けているので、体重計９０全体として滑り止め部の数を節約することができ、コストの増大を抑制できる。
【００５２】
なお、この例では、４つのロードセル用ハウジング３１，３２，３３，３４は、図４（Ａ−１）中に例示するような細長い連結部材３８で一体に連結されている。したがって、ばらばらに形成されている場合に比して、体重計９０′の組み立て工程が簡単かつ容易になる。また、連結部材３８と４つのロードセル用ハウジング３１，３２，３３，３４とを一体に、例えば押出成形によって同時に形成すれば、材料コストを低減できる。
【００５３】
（第３実施形態）
図６（Ａ）は、図１の体重計９０を変形したさらに別の体重計（全体を符号９０″で示す。）の要部、すなわち図１中の右下隅の領域１４を示している。また、図６（Ｂ）は、図２（Ａ）の下部に対応する部分を示している。図６（Ａ）、図６（Ｂ）および後述の図７において、第１実施形態中の構成要素とおなじ構成要素には同一の符号を付して、重複する説明を省略する。
【００５４】
図６（Ａ）から分かるように、この体重計９０″では、ガラス板１０に対して垂直に見て、ロードセル用ハウジング３４の一部がそれぞれガラス板１０の対応する隅（面取り１０ｒ）の形状に一致するように変形されている点が、図１の体重計９０と異なっている。
【００５５】
詳しくは、ロードセル用ハウジング３４の外周面３４ｒは、ガラス板１０の対応する隅へ向かってストレートに延びる延在部分３４ｄ１，３４ｄ２と、面取り１０ｒに略一致した曲率（外周面３４ｒの本来の曲率よりも大きい曲率）を持つ側面コーナー部３４ｄ３とを有している。
【００５６】
ロードセル用ハウジング３４に設けられた滑り止め部７４′は、側面コーナー部３４ｄ３から、底面３４ｂのうち側面コーナー部３４ｄ３につながる主面コーナー部３４ｂ１までを一体に覆っている。具体的には、図６（Ｂ）に示すように、滑り止め部７４′は、側面コーナー部３４ｄ３を覆う部分７４ｂと、主面コーナー部３４ｂ１を覆う部分７４ｃと、それらの部分７４ｂ，７４ｃ同士を滑らか湾曲してつなぐ湾曲部７４ｒとを有している。
【００５７】
この滑り止め部７４′が対応する近接した辺１０ｄから内向きに後退している距離Ｇ４は、Ｇ４＝０．５ｍｍに設定されている。
【００５８】
図示を省略しているが、ロードセル用ハウジング３３の外周面３３ｒ、ロードセル用ハウジング３４に設けられた滑り止め部（７３′とする。）は、それぞれロードセル用ハウジング３４の外周面３４ｒと左右対称に形成されている。特に、滑り止め部７３′は、滑り止め部７４′の湾曲部７４ｒと同様の湾曲部（７３ｒとする。）を有している。
【００５９】
この体重計９０″は、不使用時には、例えば図７（Ｂ）、図７（Ｃ）に示すように、ガラス板１０の辺１０ｄが下向きで滑り止め部７３′，７４′（図７では手前側の７４′のみを示す。）が水平面９８に当接し、かつロードセル用ハウジング３１，３２の底面３１ｂ，３２ｂ（図２では手前側の底面３２ｂのみを示す。）側が鉛直面９９に当接する態様で立て掛けられる。
【００６０】
この例では、滑り止め部７３′，７４′の湾曲部７３ｒ，７４ｒのお蔭で、少なくとも図７（Ｂ）に示す立て掛け角度５度から図７（Ｃ）に示す立て掛け角度２５度までの広い角度範囲で、体重計９０″の姿勢が維持され、体重計９０″が安定して立て掛けられる。
【００６１】
なお、図７（Ａ）、図７（Ｄ）に示すように、それぞれ立て掛け角度が０度、−５度であっても、この体重計９０″は、鉛直面９９に対して立て掛けられる。ただし、図２（Ａ）、図２（Ｄ）に関して既に述べたのと同様に、立て掛け角度が５度から２５度までの場合の方が、体重計９０″をより安定して立て掛けられる。
【００６２】
以上の実施形態では、滑り止め部はいずれもシリコンゴムからなるものとしたが、当然ながら、これに限られるものではない。滑り止め部は、高摩擦係数と耐摩耗性を有する材料であれば良く、例えばニトリルゴム、フッ素ゴムなどの材料を用いても良い。
【００６３】
また、以上の実施形態では、薄型機器として体重計を例示して説明した。しかしながら、この発明は、偏平な本体を有する薄型機器であれば、広く適用することができる。例えば、ラップトップ型パーソナルコンピュータ（いわゆるノートパソコン）にも適用することができる。
【符号の説明】
【００６４】
１０  ガラス板
１０ｃ，１０ｄ，１０ｅ，１０ｆ  辺
３１，３２，３３，３４  ロードセル用ハウジング
３１ｄ，３２ｄ，３３ｄ，３４ｄ，３４ｄ′  側面コーナー部
３４ｂ１  主面コーナー部
７２，７３，７４，７４′  滑り止め部
９０，９０′，９０″  体重計
【図１】
0005712740.tif 000002
【図２】
0005712740.tif 000003
【図３】
0005712740.tif 000004
【図４】
0005712740.tif 000005
【図５】
0005712740.tif 000006
【図６】
0005712740.tif 000007
【図７】
0005712740.tif 000008